(57)【要約】　　　（修正有）【課題】内容体を取り出す時に握持が容易で、保温時には密閉性良く閉塞することができ、極めて秀れた保温性能を発揮することができる断熱調理器を提供する。【解決手段】断熱構造を有する外容体１と、この外容体１に収納される内容体２と、外容体１の上部開口部を閉塞する蓋体３と、内容体２の上部開口部を閉塞する蓋体５とで構成された断熱調理器において、内容体２の周縁部所定位置に係止し得る一対の係止部４ａを備えた持ち上げ体４を設け、この持ち上げ体４に設けた前記一対の係止部４ａは、適宜な握持操作により拡縮して内容体２の所定位置に係脱し得るように構成され、この係止部４ａを内容体２に係止させた状態で、前記持ち上げ体４を持ち上げ、前記外容体１に対し内容体２を出し入れし得るように構成されている断熱調理器。【選択図】　　　　図２
2004008251.tif 000002
【特許請求の範囲】
【請求項１】
断熱構造を有する外容体と、この外容体に収納される内容体と、前記外容体の上部開口部を閉塞する蓋体と、前記内容体の上部開口部を閉塞する蓋体とで構成された断熱調理器において、前記内容体の周縁部所定位置に係止し得る一対の係止部を備えた持ち上げ体を設け、この持ち上げ体に設けた前記一対の係止部は、適宜な握持操作により拡縮して前記内容体の所定位置に係脱し得るように構成され、この係止部を内容体に係止させた状態で、前記持ち上げ体を持ち上げ、前記外容体に対し内容体を出し入れし得るように構成されていることを特徴とする断熱調理器。
【請求項２】
請求項１記載の断熱調理器において、前記持ち上げ体の下部に前記内容体の周縁部所定位置に係止し得る一対の係止部を設け、前記持ち上げ体の上部にこの係止部を拡縮操作し得る握持操作部を設けたことを特徴とする断熱調理器。
【請求項３】
請求項１記載の断熱調理器において、前記持ち上げ体は、左右に伸縮し、左右端部位置に前記内容体の周縁部所定位置に係止し得る係止部が設けられ、この持ち上げ体を左右に伸縮せしめた際、前記内容体の周縁部所定位置に係止部が係脱し得るように構成されていることを特徴とする断熱調理器。
【発明の詳細な説明】
【０００１】
【発明の属する技術分野】
本発明は、断熱調理器に関するものである。
【０００２】
【従来の技術及び発明が解決しようとする課題】
外容体と、該外容体に収納する内容体と、該内容体の上部開口部を閉塞する蓋体と、前記外容体の上部開口部を閉塞する蓋体とで構成される断熱調理器が提案されている。
【０００３】
この断熱調理器は、保温性に秀れ、この保温性能を利用した独特な調理法が可能である。
【０００４】
具体的には、例えば、内容体に食材を入れて蓋体をし、暫くコンロにかけて加熱し、この加熱した内容体を外容体に収納して該外容体の蓋体を閉じると、前記内容体の高温状態が外容体内で長時間維持され、よって、例えば一般に使用される鍋を用いて直火で長時間加熱し続けなくとも、煮込み料理などが良好に行えるものである。
【０００５】
ところで、この内容体には、該内容体を外容体に出し入れするための把手が必要であるが、この把手構造としては、例えば内容体の開口内周縁にアーチ型の把手を枢着した構造で、外容体に対する内容体の収納時には、該内容体の開口内周縁に沿った倒伏状態となり、外容体に対する内容体の出し入れ時には、起立状態として内容体を持ち上げられるように構成したものが考えられる。
【０００６】
しかしながら、この把手構造では、外容体に該外容体の蓋体をしても内容体の把手が邪魔にならず良好な保温状態が得られることになる反面、該内容体を外容体から取り出そうとする際には把手が熱くて持てないという問題点が生じてしまう。
【０００７】
そこで、上記問題点を解決すべく、特許第２５０２２５４号に係る断熱調理器具が提案されている（以下、従来例という）。
【０００８】
この従来例は、外容体内に、出し入れ自在に内容体を収納し、前記外容体の上部開口部に断熱性の蓋体を配して成るとともに、前記内容体に、その端部が前記断熱性の蓋体と外容体間を挿通して外容体外にのびる把手を設けた構成としており、内容体を外容体内に収納しても該内容体に設けた把手が熱くならないように構成されている。
【０００９】
しかしながら、この従来例は、前記内容体に設けた把手が外容体と該外容体に配設される蓋体との間から外容体の外部へ突出する構成のため、外容体及び該外容体に配設される蓋体と、内容体に設けられた把手との間にどうしても隙間が生じてしまい、よって、この隙間から外容体に収納した内容体の熱が逃げてしまい調理物の良好な保温状態を達成できないという問題点がある。
【００１０】
また、この内容体に設けられた把手は、前述したように、外容体の内部から外部へ突出するように設けられており、よって、通常の鍋等よりも横巾が大きくなる構造のため、例えば冷蔵庫等に収納する際や不使用時にしまっておく際など邪魔になるいう問題点がある。
【００１１】
そこで、本発明は、上記問題点を解決すべく試作を繰り返し、検討の結果、完成したもので、極めて商品価値の高い断熱調理器を提供するものである。
【００１２】
【課題を解決するための手段】
添付図面を参照して本発明の要旨を説明する。
【００１３】
断熱構造を有する外容体１と、この外容体１に収納される内容体２と、前記外容体１の上部開口部を閉塞する蓋体３と、前記内容体２の上部開口部を閉塞する蓋体５とで構成された断熱調理器において、前記内容体２の周縁部所定位置に係止し得る一対の係止部４ａを備えた持ち上げ体４を設け、この持ち上げ体４に設けた前記一対の係止部４ａは、適宜な握持操作により拡縮して前記内容体２の所定位置に係脱し得るように構成され、この係止部４ａを内容体２に係止させた状態で、前記持ち上げ体４を持ち上げ、前記外容体１に対し内容体２を出し入れし得るように構成されていることを特徴とする断熱調理器に係るものである。
【００１４】
また、請求項１記載の断熱調理器において、前記持ち上げ体４の下部に前記内容体２の周縁部所定位置に係止し得る一対の係止部４ａを設け、前記持ち上げ体４の上部にこの係止部４ａを拡縮操作し得る握持操作部４ｂを設けたことを特徴とする断熱調理器に係るものである。
【００１５】
また、請求項１記載の断熱調理器において、前記持ち上げ体４は、左右に伸縮し、左右端部位置に前記内容体２の周縁部所定位置に係止し得る係止部４ａが設けられ、この持ち上げ体４を左右に伸縮せしめた際、前記内容体２の周縁部所定位置に係止部４ａが係脱し得るように構成されていることを特徴とする断熱調理器に係るものである。
【００１６】
【発明の作用及び効果】
持ち上げ体４に備えた係止部４ａを内容体２の周縁部所定位置に近付け、この状態において、前記持ち上げ体４を握持操作すると、係止部４ａが内容体２の所定位置に係止し、この状態で持ち上げ体４を持ち上げることで、内容体２を持ち上げることができる。従って、この持ち上げ体４を使用して外容体１に対して内容体２を出し入れし得ることになる。
【００１７】
また、この持ち上げ体４を握持操作して内容体２の周縁部所定位置に対する係止部４ａの係止状態を解除することができる。
【００１８】
以上から、本発明は、内容体２に該内容体２を持ち上げるための把手を直接設けず内容体２を持ち上げ移動できる持ち上げ体４を別途設けたから、内容体２を取り出す時には熱くて握持できないといった問題が起こることがないのは勿論、保温時には、外容体１と該外容体１の上部開口部を閉塞する蓋体３との間から例えば把手等が突出することがないため、外容体１を前記蓋体３で極めて密閉性良く閉塞することができ、よって、極めて秀れた保温性能を発揮することができる。
【００１９】
また、例えば内容体２を冷蔵庫に収納したい時や不使用時にしまっておく際などには、内容体２には、従来例のようなスペースを害するものがないから、冷蔵庫内の限られたスペースに内容体２を極めて良好に収納することもできる。
【００２０】
【発明の実施の形態】
本発明の具体的な実施例について図面に基づいて説明する。
【００２１】
本実施例は、断熱真空二重構造を有する金属製の外容体１と、この外容体１に収納される金属製の内容体２と、前記外容体１の上部開口部を閉塞する断熱構造を有する蓋体３と、前記内容体２の上部開口部を閉塞する蓋体５とで構成される断熱調理器であって、内容体２を持ち上げる為の持ち上げ体４を設けたものである。
【００２２】
即ち、本実施例は、前記内容体２の周縁部所定位置に係止し得る一対の係止部４ａを備えた持ち上げ体４を設け、この持ち上げ体４に設けた前記一対の係止部４ａは、適宜な握持操作により拡縮して前記内容体２の所定位置に係脱し得るように構成されたものであり、この持ち上げ体４の係止部４ａを内容体２に係止させた状態で該持ち上げ体４を持ち上げて外容体１に対し内容体２を出し入れし得るように構成されたものである。
【００２３】
図１〜３は第一実施例，図４〜８は第二実施例，図９〜１１は第三実施例を示している。
【００２４】
図１〜３に示す第一実施例について説明する。
【００２５】
本実施例の持ち上げ体４は、下部に前記内容体２の周縁部所定位置に係止し得る一対の係止部４ａを設け、上部にこの係止部４ａを拡縮操作し得る握持操作部４ｂを設けた構成としている。
【００２６】
具体的に説明すると、持ち上げ体４は、図１，２に示すように、一対の半体１５，１６を連結部材１１を介して連結したものであり、この連結部材１１よりも上部を閉じ操作した際、連結部材１１よりも下部が開き動し得るように構成されている。
【００２７】
この一対の半体１５，１６の下端部は夫々外方に向けて折曲形成されており、後述する内容体２の被係止部９に係止する係止部４ａとして構成されている。
【００２８】
従って、この持ち上げ体４に係る連結部材１１よりも上部に位置する握持操作部４ｂを握持操作することにより連結部材１１よりも下部の係止部４ａを拡縮することができる。
【００２９】
また、本実施例では図示していないが、連結部材１１の上部の前記一対の半体１５，１６間には弾性体（例えばバネ体）が設けられ、この弾性体により、握持操作部４ｂを構成する前記一対の半体１５，１６の上部は常時開き付勢された構成としている。即ち、前記半体１５，１６の下部は常時閉じ付勢されており、握持操作部４ｂを開き付勢に抗して握ると、係止部４ａが拡がり、そして、この握った力を緩めることで係止部４ａは閉じ付勢により近接した状態となる。
【００３０】
本実施例の内容体２には、上記持ち上げ体４の係止部４ａに対応する凹状の被係止部９が内周縁部対向位置に設けられている。
【００３１】
具体的に説明すると、本実施例の被係止部９は、内容体２の鍔部内周対向位置を外方に向けて凹状に打設することで一体成形された構成としている。
【００３２】
尚、本実施例の被係止部９は、内容体２の鍔部内周対向位置を凹状に打設して形成した構成としたが、これに限られるものではなく、内容体２の内周全域に凹条を繞設したり、或いは、鍔部対向位置に貫通孔を設けることで形成しても良く、その形成方法としては打設形成に限らず別体のものを溶接することで被係止部９を形成しても良い。
【００３３】
以上の構成から、持ち上げ体４の握持操作部４ｂを開き付勢に抗して握ることで係止部４ａが内容体２の被係止部９に係止し、よって、持ち上げ体４で内容体２を持ち上げられる。
【００３４】
本実施例は上述のように構成したから、高温に加熱された内容体２であっても外容体１に対して容易に出し入れできることは勿論、秀れた保温性能をも発揮することができるこれまでにない極めて実用的で画期的な断熱調理器となる。
【００３５】
即ち、握持操作部４ｂを係止部４ａが拡がるように握ったときの力は、該係止部４ａが被係止部９に係止する係止力となるため、握持操作部４ｂを単に握るだけで係止部４ａを被係止部９にしっかりと係止させることができる。よって、持ち上げ体４で内容体２を持ち上げた際、該内容体２が多少揺れたり振動が加わったとしても、握持操作部４ｂを握っていることで、係止部４ａは被係止部９にしっかりと係止しているため、内容体２を安定して持ち上げ移動することができる。
【００３６】
また、握持操作部４ｂを係止部４ａが拡がるように握った力を単に緩めるだけで、係止部４ａは閉じ付勢によって被係止部９から離脱でき、よって、内容体２に係止する持ち上げ体４を簡単に取り外すことができる。
【００３７】
また、本実施例では、持ち上げ体４の係止部４ａが内容体２の鍔部に内側から係止する構成のため（即ち、被係止部９は内容体２の鍔部内側に設けられているため）、該内容体２を収納する外容体１に特別な構造を設けなくても内容体２を外容体１に良好に収納することができ、よって、一層簡易に断熱調理器を形成することができる。
【００３８】
また、前述のように、被係止部９は内容体２の鍔部内側に設けられているため、内容体２をコンパクトに形成することができ、これにより、外容体１をコンパクトに形成して、全体的にコンパクトな断熱調理器を簡易に形成することができる。
【００３９】
また、内容体２に把手を設けず、この内容体２に着脱自在な持ち上げ体４を設けたため、内容体２を外容体１に対して出し入れしたい際には、持ち上げ体４を握持操作して係止部４ａを被係止部９に係止し持ち上げるだけで内容体２を容易に出し入れすることができ、保温する際には、内容体２から持ち上げ体４を取り外して外容体１に蓋体３を高密着状態で配することができる。尚、本実施例の内容体２には把手を付設しない構成であり、該内容体２に突出部や凹み部を形成する必要がないため、より一層秀れた密着性を発揮し得るタッパー蓋を載置できる内容体を本実施例の内容体として採用しても良い。
【００４０】
また、本実施例では、内容体２から持ち上げ体４を容易に取り外すことができるため、冷蔵庫等に収納したい時や不使用時にしまっておく際などに、冷蔵庫や引き出しの中に大きな載置スペースが取れなくとも、内容体２には従来のように収納スペースを害するものがないから、内容体２を極めて良好に収納することができる。
【００４１】
第二実施例について説明する。
【００４２】
図４〜８に示す本実施例の持ち上げ体４は、この持ち上げ体４の下部に前記内容体２の周縁部所定位置に係止し得る一対の係止部４ａを設け、前記持ち上げ体４の上部にこの係止部４ａを拡縮操作し得る握持操作部４ｂを設けた構成としている。
【００４３】
また、本実施例では、図４，５に示すように、この持ち上げ体４を二体用いて内容体２の両端部所定位置を持ち上げる構成としている。
【００４４】
具体的には、持ち上げ体４は、第一実施例同様、図７，８に示すように、一対の半体１５，１６を連結部材１１を介して連結したものであり、この連結部材１１よりも上部を閉じ操作した際、連結部材１１よりも下部が開き動し得るように構成されている。
【００４５】
また、前記一対の半体１５，１６の下端部は夫々外方に向けて折曲形成されており、後述する内容体２の被係止部９に係止する係止部４ａとして構成されている。
【００４６】
従って、この持ち上げ体４に係る連結部材１１よりも上部に位置する握持操作部４ｂを握持操作することにより連結部材１１よりも下部の係止部４ａを拡縮することができる。
【００４７】
また、図示していないが、本実施例の係止部４ａの拡縮操作は、第一実施例同様、連結部材１１の上部の前記一対の半体１５，１６間に弾性体（例えばバネ体）が設けられ、この弾性体により、握持操作部４ｂを構成する前記一対の半体１５，１６の上部は常時開き付勢された構成としている。即ち、前記半体１５，１６の下部は常時閉じ付勢されており、握持操作部４ｂを開き付勢に抗して握ると、係止部４ａが拡がり、そして、この握った力を緩めることで係止部４ａは閉じ付勢により近接した状態となる。
【００４８】
本実施例の内容体２には、上記持ち上げ体４の係止部４ａに対応する孔状の被係止部９が外周縁部対向位置に設けられている。
【００４９】
具体的には、本実施例では、帯状の板材を例えばコ字形に折曲し、その両端部を内容体２の上部外周面に付設することで被係止部９が形成された構成としている。
【００５０】
以上の構成から、図７，８に示すように、孔状に形成した各被係止部９に持ち上げ体４の係止部４ａを貫通させた状態で持ち上げ体４の握持操作部４ｂを開き付勢に抗して握ることで係止部４ａが内容体２の被係止部９に係止し、この持ち上げ体４を持ち上げることで内容体２を持ち上げられる。
【００５１】
本実施例は上述のように構成したから、第一実施例同様、高温に加熱された内容体２であっても外容体１に対して容易に出し入れできることは勿論、秀れた保温性能をも発揮することができるこれまでにない極めて実用的で画期的な断熱調理器となる。
【００５２】
即ち、本実施例においては、二体の持ち上げ体４を用いて両手で内容体２を持ち上げる構成のため、内容体２を一層楽に持ち上げることができる。
【００５３】
また、内容体２の対向する二箇所を持ち上げる構成のため、たとえ重量のある内容体２であってもより安定して持ち上げることができる。
【００５４】
また、本実施例は、二体の持ち上げ体４を用いて内容体２を持ち上げる構成のため、この持ち上げ体４を一体とするのに比べて二体に分けてよりコンパクトに形成することができ、よって、収納性に秀れる持ち上げ体４を実現することができる。
【００５５】
第三実施例について説明する。
【００５６】
図９〜１１に示す本実施例の持ち上げ体４は、左右に伸縮し、左右端部位置に該持ち上げ体４を左右方向に伸縮操作し得る握持操作部４ｂを設けると共に、内容体２の周縁部所定位置に係止し得る係止部４ａが設けられ、この持ち上げ体４を握持操作部４ｂの握持操作により左右に伸縮せしめた際、係止部４ａが拡縮動して、内容体２の周縁部所定位置に該係止部４ａが係脱し得るように構成している。
【００５７】
具体的に説明すると、持ち上げ体４は、図９，１０に示すように、一対の半体１５，１６を伸縮手段１８（例えばスライド機構）を介して連結したものであり、この半体１５，１６の各外端部に前記握持操作部４ｂを設けると共に、該半体１５，１６の各外端部の下方位置に前記係止部４ａを設け、握持操作部４ｂを左右方向に握持操作することで、半体１５，１６が互いに近接又は離反する構成としている。
【００５８】
更に具体的に説明すると、係止部４ａは握持操作部４ｂから所定長さ垂下した位置に、コ字状に折り返し形成された構成としている。
【００５９】
従って、この持ち上げ体４の左右端部に設けた握持操作部４ｂを握り、左右方向に接離移動させることにより、同じく持ち上げ体４の左右端部に設けた係止部４ａを拡縮することができる。
【００６０】
本実施例の内容体２には、持ち上げ体４の係止部４ａに対応する凹状の被係止部９を外周縁部対向位置に設けた構成としている。
【００６１】
具体的には、板材を略Ｌ字型に折曲し、この略Ｌ字型に折曲した部材を開口部が下方へ向くようにして内容体２の上部外周面に付設して被係止部９を設けた構成としている。
【００６２】
以上の構成から、持ち上げ体４が伸動するように握持操作部４ｂを握って左右方向に拡げることで係止部４ａが拡がり、この状態で係止部４ａを内容体２の被係止部９の下方に位置させ、今度は持ち上げ体４が縮動するように握持操作部４ｂを握って左右方向に縮めることで係止部４ａが互いに近づき、この状態で持ち上げ体４を持ち上げることで係止部４ａが被係止部９に引っ掛かり係止して内容体２が持ち上げられる。
【００６３】
本実施例は上述のように構成したから、握持操作部４ｂを単に左右方向（内外方向）に伸縮操作するだけで係止部４ａを左右に拡縮操作でき、これにより、被係止部９に係止部４ａを簡単に係脱でき、外容体１に対して内容体２を容易に出し入れすることができる。
【００６４】
また、本実施例の持ち上げ体４の握持操作部４ｂは、この持ち上げ体４の左右両端部に設けた構成としたため、内容体２に持ち上げ体４を係止して持ち上げる際には、前記握持操作部４ｂが言わば両手鍋の把手のような役割を成すため、内容体２を両手で持ち上げることができ、よって、外容体１に対して内容体２を安定して楽に出し入れすることができる。
【図面の簡単な説明】
【図１】第一実施例の持ち上げ体４と内容体２とを示す説明断面図である。
【図２】第一実施例の内容体２を持ち上げ体４で持ち上げた状態を示す説明断面図である。
【図３】第一実施例の外容体１内に内容体２を収納した状態を示す説明断面図である。
【図４】第二実施例の持ち上げ体４と内容体２とを示す説明断面図である。
【図５】第二実施例の内容体２を持ち上げ体４で持ち上げた状態を示す説明断面図である。
【図６】第二実施例の外容体１に内容体２を収納したことを示す説明断面図である。
【図７】第二実施例の持ち上げ体４と内容体２とを示す説明断面図である。
【図８】第二実施例の内容体２を持ち上げ体４で持ち上げた状態を示す説明断面図である。
【図９】第三実施例の持ち上げ体４と内容体２とを示す説明断面図である。
【図１０】第三実施例の内容体２を持ち上げ体４で持ち上げ可能な状態を示す説明断面図である。
【図１１】第三実施例の外容体１に内容体２を収納したことを示す説明断面図である。
【符号の説明】
１　外容体
２　内容体
３　蓋体
４　持ち上げ体
４ａ　係止部
４ｂ　握持操作部
５　蓋体
【図１】
2004008251.tif 000003
【図２】
2004008251.tif 000004
【図３】
2004008251.tif 000005
【図４】
2004008251.tif 000006
【図５】
2004008251.tif 000007
【図６】
2004008251.tif 000008
【図７】
2004008251.tif 000009
【図８】
2004008251.tif 000010
【図９】
2004008251.tif 000011
【図１０】
2004008251.tif 000012
【図１１】
2004008251.tif 000013